(57)【要約】【課題】モニター画面に貼りにくい保護フィルムを誰でも簡単且つ美しくモニター画面に貼着することのできる保護フィルム貼着部材を提供する。【解決手段】保護フィルム貼着部材Ａは保護フィルム１の前面にカバーフィルム３が貼り付けられ、保護フィルム１の裏面の粘着層１ａに離型フィルム２が貼り付けられた３層構造である。離型フィルム２は、保護フィルム１と同一形状の本体部分２ａと、該本体部分２ａの両側辺２ａ２から保護フィルム１の外側に張り出している耳部５とで構成されている。【選択図】図１
2014069465.tif 000002
【特許請求の範囲】
【請求項１】
保護フィルムの前面にカバーフィルムが貼り付けられ、保護フィルムの裏面の粘着層に離型フィルムが貼り付けられた保護フィルム貼着部材であって、
離型フィルムが、保護フィルムと同一形状の本体部分と、該本体部分の両側辺から保護フィルムの外側に張り出している耳部とで構成されていることを特徴とする保護フィルム貼着部材。
【請求項２】
請求項１の保護フィルム貼着部材において、離型フィルムの耳部が、本体部分の両側辺から、前記両側辺間の一辺にかけて保護フィルムの外側に張り出していることを特徴とする保護フィルム貼着部材。
【請求項３】
請求項１又は２の保護フィルム貼着部材において、離型フィルムの耳部に、本体部分の一辺に平行或いは一致する折り曲げ線が設けられていることを特徴とする保護フィルム貼着部材。
【発明の詳細な説明】
【技術分野】
【０００１】
本発明は、モニター画面、特にカーナビゲーションの液晶モニター画面に貼着される保護フィルム貼着部材の改良に関する。
【背景技術】
【０００２】
モニター画面、特に液晶モニター画面は、使用していると指紋や汚れが付着したり、傷がついて汚くなる。そのため、一般に、保護フィルムが貼着された状態で使用される。使用前の状態である保護フィルム貼着部材は、保護フィルムの前面にカバーフィルム、裏面に離型フィルムが貼り付けられた通常は３層構造のものである。この保護フィルムは、パソコン用・ゲーム用・テレビ用・携帯電話用・スマートフォン用・自動販売機用・医療機器用・券売機用のモニター画面の全面に貼着して使用されるところから、その形状はモニター画面に合わせて形成されている。
【０００３】
この保護フィルム２１をモニター画面１１に貼着するには、図８に示すように、まず離型フィルム（図示せず）を保護フィルム２１の裏面から剥離し、保護フィルム２１の裏面の粘着層２１ａを露出させ、次いで、保護フィルム２１の上端をモニター画面１１の端に一致させて接着し、そのまま引っ張りつつ且つ指を持ち替えつつモニター画面１１の表面の接着端から他端に向けて保護フィルム２１を貼り付けていく。最後に、貼り付けた保護フィルム２１の表面からカバーフィルム２３を剥離して作業を終わる。この時、粘着層２１ａとモニター画面１１との間に気泡Ｋが入り込まないようにする必要がある。このような保護フィルムには、以下のようなものがある（特許文献１）。
【先行技術文献】
【特許文献】
【０００４】
【特許文献１】特開平７−３１３９４９号公報（図２）
【発明の概要】
【発明が解決しようとする課題】
【０００５】
しかしながら、上記保護フィルム貼着部材は、全体がモニター画面１１の大きさに切断されているために、これを貼り付ける際、離型フィルムを剥離すると前述のように保護フィルム２１の裏面の粘着層２１ａが全面に剥き出しになり、貼着作業時にカバーフィルム２３がその表面に貼り付いた状態の保護フィルム２１を摘まむと、摘まんだ人指し指に粘着層２１ａが接して粘着してしまう。
【０００６】
この状態で、前述のように保護フィルム２１の上端をモニター画面１１の上端に一致させて接着し、そのまま引っ張りつつ且つ指を持ち替えてモニター画面１１の表面の接着端から下端まで保護フィルム２１を貼り付けようとすると、保護フィルム２１の下端部分の露出した粘着層２１ａがモニター画面１１に不用意に接着したり、指の持ち替え時に指に粘着している粘着層２１ａが離れ難くて保護フィルム２１に皺がよったり弛んだり、或いは不用意に接着した保護フィルム２１とモニター画面１１との間に気泡Ｋが入り込んでしまうことがあり、きれいに貼ることが難しかった。
【０００７】
また、離型フィルムが保護フィルム２１と同じ大きさに形成されているので、保護フィルム２１から離型フィルムを剥離する作業が難しいという問題もある。もちろん、離型フィルムを、保護フィルム２１よりも一回り大きいサイズにすれば、上記剥離時の困難性を解消することが可能ではあるが、この場合は、例えばモニター画面１１が周囲のフレームよりも一段凹んだ場所に位置しているような場合に、この一回りサイズの大きな離型フィルムが邪魔になり、保護フィルム２１をモニター画面１１に貼り付ける際の位置合わせが出来ないという問題もある。
【０００８】
本発明は、モニター画面が周囲のフレームよりも一段凹んだ場所に位置しているような場合であっても、モニター画面に貼りにくい保護フィルムを誰でも簡単且つ美しくモニター画面に貼着することのできる保護フィルム貼着部材を提供することにある。
【課題を解決するための手段】
【０００９】
請求項１の保護フィルム貼着部材Ａは、「保護フィルム１の前面にカバーフィルム３が貼り付けられ、保護フィルム１の裏面の粘着層１ａに離型フィルム２が貼り付けられた構造のもので、
離型フィルム２が、保護フィルム１と同一形状の本体部分２ａと、該本体部分２ａの両側辺２ａ２から保護フィルム１の外側に張り出している耳部５とで構成されている」ことを特徴とする。
【００１０】
請求項２の保護フィルム貼着部材Ａは「請求項１の離型フィルム２の耳部５が、本体部分２ａの両側辺２ａ２から、前記両側辺２ａ２間の一辺２ａ１にかけて保護フィルム１の外側に張り出している」ことを特徴とする。
【００１１】
請求項３の保護フィルム貼着部材Ａは「請求項１又は２の離型フィルム２の耳部５に、本体部分２ａの一辺２ａ１に平行或いはこれに一致する折り曲げ線５ｂが設けられている」ことを特徴とする。
【発明の効果】
【００１２】
これによれば、耳部５を指で摘まんで保護フィルム１の端部１ｘから離型フィルム２の端部２ｘを剥離し、該端部１ｘとその近傍の粘着層１ａを露出させ、離型フィルム２の端部２ｘを背面側に折り返すと共に、折り返した耳部５とカバーフィルム３が表面に貼り付けられた保護フィルム１の側辺部分とを指で摘み、その状態で保護フィルム１の端部１ｘの粘着層１ａをモニター画面１１の端部に沿わせて粘着させ、更に、折り返した耳部５と保護フィルム１とを摘まんだ状態、或いは折り返した耳部５だけを摘んだ状態で両側に軽く引っ張りつつ指を移動させ、粘着層１ａを上から下に向けてモニター画面１１の全面に貼り付ける。これにより粘着層１ａが指に付いたり、モニター画面１１に不所望に貼り付かず、保護フィルム１をモニター画面１１の全面にきれいに貼り付けることができる。ここで、保護フィルム貼着部材Ａの未だ離型フィルム２が剥離していない部分（本体部分２ａ）では、保護フィルム１と離型フィルム２とが同じ形状であるので、周囲のフレーム１２よりも一段凹んだモニター画面１１への位置あわせをしつつ、上記貼り付け作業を行うことができる。
【００１３】
特に、耳部５を折り曲げ線５ａに沿って折り曲げると、保護フィルム１を保護フィルム１に貼り付ける際に、保護フィルム１の粘着層１ａとモニター画面１１との間に隙間Ｓが発生すること、及び、耳部５の折り曲げ線５ｂ部分の弾発力Ｆによって保護フィルム１の他端１ｙ側が跳ね上げられ、モニター画面１１から離間する。この状態で幅方向に軽く張力を与えつつ耳部５を摘まんで保護フィルム１の他端１ｙ側にゆっくりと離型フィルム２を移動させると、これだけできれいに貼ることができる。
【図面の簡単な説明】
【００１４】
【図１】本発明の保護フィルム部材の分解斜視図。
【図２】(a)は本発明の保護フィルム部材の第１実施例の斜視図、(b)は耳部を折り曲げた状態を部分斜視図、(c)は第２実施例の斜視図、(d)は第２実施例の耳部を折り曲げた状態を部分斜視図。
【図３】第１実施例の貼着時の斜視図。
【図４】第１実施例の貼着時において、気泡を指で周囲に押し出している状態の斜視図。
【図５】第１実施例の貼着時において、へらを使用して気泡を周囲に押し出している状態の斜視図。
【図６】第１実施例の貼着時において、カバーフィルムを剥離している状態の斜視図。
【図７】本発明の保護フィルムの貼着状態を示す斜視図。
【図８】従来の保護フィルムの貼着状態を示す斜視図。
【発明を実施するための形態】
【００１５】
以下、詳細な内容について実施例を用いて説明するが、本発明は以下の実施例に限定されるものではない。本発明の保護フィルム貼着部材Ａは、いずれの実施例に共通することであるが、透明な保護フィルム１の前面に薄く着色されたカバーフィルム３、保護フィルム１の裏面全面に設けられた粘着層１ａに透明の離型フィルム２が貼り付けられた３層構造のものである（なお、保護フィルム１の前面には防眩用の機能層や屈折率を工夫して見えやすくした機能層が形成されることがあるが、これら機能層は保護フィルム１に含まれるものとする）。そして、保護フィルム１、カバーフィルム３及び離型フィルム２の本体部分２ａの大きさがモニター画面１１に合わせて形成されている。保護フィルム１には、例えば、ＰＥＴのような樹脂シートが使用される。カバーフィルム３の図中下部の右コーナー部分には、剥離用の持ち手となるテープ４が貼着されている。
【００１６】
本発明の保護フィルム１が貼り付けられるモニター画面１１は、カーナビゲーションの液晶モニター画面のように、通常、表示装置１０のフレーム１２から一段凹んだ場所に設けられ、その４周はフレーム１２にて囲まれており、保護フィルム１のきれいな貼着が困難である。
【００１７】
本発明の第１実施例は図１、図２(a)(b)に示すように、離型フィルム２の耳部５が、本体部分２ａの一辺２ａ１から該辺２ａ１に隣接する両側辺２ａ２にかけて保護フィルム１の本体部分２ａの外側に張り出している。本体部分２ａは保護フィルム１と同じ形状である。
【００１８】
耳部５の両側辺の外側への張り出し幅は、側方の張り出し部分５ａが指で摘まむことができる程度のもので４ｍｍ〜１０ｍｍ程度である。５ｍｍから７ｍｍ程度が好ましい。そして、耳部５の、本体部分２ａの一辺２ａ１の外側（上方）への張り出し部分５ｃを本体部分２ａの一辺２ａ１に沿って折り曲げることができるようになっている。この折り曲げ可能部分を折り曲げ線５ｂで示す（図２(a)）。この折り曲げ線５ｂはミシン目を入れるなどして、折り曲げやすくしてもよいし、そのままで、本体部分２ａの一辺２ａ１に沿って折り曲げるようにしてもよい。この一辺２ａ１側の張り出し部分５ｃの出幅は、折り曲げやすく且つ折り曲げた時に折り曲げ状態を保持できる幅、例えば７〜１２ｍｍ程度としている。８ｍｍ〜１０ｍｍが好ましい。なお、張り出し部分５ｃには、本発明の保護フィルム貼着部材Ａの品番コーナー６が設けられている。
【００１９】
しかして、図示していないが、モニター画面１１に、例えば、液晶クリーナースプレーを吹きかけ、清浄なクロスで汚れや指紋をふき取り、更に、除電ブラシのようなもので表面のホコリを払った後、エアーダストスプレーで四隅のほこりやごみを吹き飛ばしてモニター画面１１の全面を清浄な状態にする。
【００２０】
次に、離型フィルム２の耳部５を指で摘まんで保護フィルム１の端部１ｘ（上端）の辺に沿う折り曲げ線５ｂで離型フィルム２の張り出し部分５ｃを背面側に折り返す（図２(b)）。特に、折り曲げ線５ｂに沿って折り曲げると、保護フィルム１をモニター画面１１に貼り付ける際に、図３に示すように、保護フィルム１の粘着層１ａとモニター画面１１との間に隙間Ｓが発生して不所望に粘着層１ａの他の部分がモニター画面１１に付着しないこと、及び、耳部５の折り曲げ線５ｂ部分の弾発力Ｆによって保護フィルム１の他端１ｙ側が跳ね上げられ、この部分がモニター画面１１から離間する結果、貼りやすくなる。
【００２１】
そしてそのまま保護フィルム１の端部１ｘから離型フィルム２を剥離して該端部１ｘとその近傍の粘着層１ａを露出させ、折り返した耳部５とカバーフィルム３が表面に貼り付けられた保護フィルム１とを指で摘み、その状態で保護フィルム１の端部１ｘの粘着層１ａをモニター画面１１の端部に沿わせて粘着させる（図３）。挟んだ指は、カバーフィルム３と耳部５に接して粘着層５ａに接触しないので、折り返した耳部５と保護フィルム１とを摘まんだ状態、或いは耳部５だけを摘んだ状態で両側に軽く引っ張りつつ指を下方に移動させ、離型フィルム２を剥離しつつ上から下に向かって貼り付けて行く。
【００２２】
ここで、保護フィルム貼着部材Ａの未だ離型フィルム２が剥離していない部分（本体部分２ａ）は、保護フィルム１と離型フィルム２とが同じ形状であるので、モニター画面１１に宛がっても、一段盛り上がった周囲のフレーム１２と干渉することはない。換言すれば、フレーム１２よりも一段凹んだモニター画面１１に保護フィルム貼着部材Ａの本体部分２ａを宛がって位置あわせをしつつ、上記貼り付け作業を行うことができる。
【００２３】
保護フィルム１の他端１ｙ（下端）まで滑らせると粘着層１ａがモニター画面１１の全面に均一に貼り付き、保護フィルム１をモニター画面１１の全面にきれいに貼り付けることができる。
【００２４】
この状態でもし若干でも保護フィルム１とモニター画面１１との間に気泡Ｋが巻き込まれておれば、例えば、保護フィルム１の中心から周辺部へ指を押圧しつつ滑らせ、その気泡Ｋを保護フィルム１へ押し出す（図４）。気泡Ｋの押し出しが終わると、粘着層５ａのモニター画面１１への均一な付着を行わせるためにへら８をカバーフィルム３の上から保護フィルム１の表面に押圧しつつ滑らせる（図５）。最後に、保護フィルム１の表面に貼着されているカバーフィルム３のテープ４を持って引っ張り剥離する（図６）。
【００２５】
第２実施例では、図２(c)に示されているように、離型フィルム２の耳部５が保護フィルム１の両側辺から外側に伸びているだけで、離型フィルム２は保護フィルム１の一辺１ｘに一致しているところで切断されている。貼着方法は第１実施例と同じである。ただこの場合、耳部５の形状が第１実施例と異なるため、この場合は同図(d)に示すように耳部５のいずれかの部分、或いは図示していないが、離型フィルム２のいずれかの部分を背方に折り曲げることになる。
【符号の説明】
【００２６】
１…保護フィルム
１ａ…粘着層
１ｘ…保護フィルムの端部（上端）
１ｙ…保護フィルムの他端（下端）
２…離型フィルム
２ａ…本体部分
２ａ１…本体部分の一辺
２ａ２…本体部分の側辺
３…カバーフィルム
４…テープ
５…耳部
５ａ…側方への張り出し部分
５ｂ…折り曲げ線
５ｃ…上方への張り出し部分
６…品番コーナー
１１…モニター画面
１２…フレーム
２１…保護フィルム
２１ａ…粘着層
２３…カバーフィルム
Ａ…保護フィルム貼着部材
Ｋ…気泡
Ｓ…隙間
【図１】
2014069465.tif 000003
【図２】
2014069465.tif 000004
【図３】
2014069465.tif 000005
【図４】
2014069465.tif 000006
【図５】
2014069465.tif 000007
【図６】
2014069465.tif 000008
【図７】
2014069465.tif 000009
【図８】
2014069465.tif 000010